(57)【要約】【課題】光変調装置を好適に冷却できかつ良好な画質が得られるプロジェクタを提供する。【解決手段】プロジェクタは、吸気口、排気口およびこれら吸気口から排気口までに冷却空気の流路を形成する流路部を有した筐体と、筐体内に設けられたライトバルブ２３Ｒ，２３Ｇ，２３Ｂおよびクロスダイクロイックプリズム２４と、クロスダイクロイックプリズム２４等を支持する熱伝導性材料からなるフレーム４１とを具備している。ライトバルブ２３Ｒ，２３Ｇ，２３Ｂはクロスダイクロイックプリズム２４の各入射端面に熱伝達可能な状態で取り付けられている。フレーム４１は、クロスダイクロイックプリズム２４が熱伝達可能な状態で取り付けられる取付面部４３と、取付面部４３に一連に設けられたダクト４４と、ダクト４４の内部に設けられた放熱部４５とを備えている。放熱部４５にて、各ライトバルブ２３Ｒ，２３Ｇ，２３Ｂの熱を放熱する。【選択図】図３
2007248739.tif 000002
【特許請求の範囲】
【請求項１】
複数の色光を色光毎に画像情報に応じて変調する複数の光変調装置と、前記各光変調装置にて変調された各色光を合成する色合成光学装置とを備えたプロジェクタであって、
前記各光変調装置は、前記色合成光学装置に対して熱伝達可能な状態で取り付けられ、
内部に前記各光変調装置および前記色合成光学装置を収容し、外部の空気を内部に導入する吸気口、および、内部の空気を外部に排気する排気口が形成され、前記吸気口から前記排気口に至り内部を冷却する冷却空気を流す流路部を有した筐体と、
前記筐体の内部に取り付けられて、前記各光変調装置および前記色合成光学装置を支持する熱伝導性材料からなるフレームとを具備し、
前記フレームは、
前記色合成光学装置が熱伝達可能な状態で取り付けられると共に、前記各光変調装置および前記色合成光学装置を前記流路部から遮断する取付面部と、
前記取付面部の前記色合成光学装置とは反対側に設けられ、前記流路部の少なくとも一部を構成するダクトと、
前記流路部内部に露出し、前記取付面部に熱伝達可能な状態で設けられた放熱部とを備えている
ことを特徴とするプロジェクタ。
【請求項２】
請求項１に記載のプロジェクタにおいて、
前記放熱部は、前記流路部内の流路に沿って延出する複数の板状のフィンを備えている
ことを特徴とするプロジェクタ。
【請求項３】
請求項１または請求項２に記載のプロジェクタにおいて、
前記フレームには、前記筐体の前記吸気口に空気取入口が対向配置され、かつ、空気吐出口が前記ダクトに臨むシロッコファンが一体的に設けられている
ことを特徴とするプロジェクタ。
【請求項４】
請求項１または請求項２に記載のプロジェクタにおいて、
前記フレームには、前記筐体の前記吸気口に空気取入口が対向配置され、かつ、空気吐出口が前記ダクトに臨む軸流ファンが一体的に設けられている
ことを特徴とするプロジェクタ。
【請求項５】
請求項１ないし請求項４のいずれかに記載のプロジェクタにおいて、
前記フレームは、前記取付面部の面外方向に突出し、一端が前記ダクト内部に開口され、かつ、他端が前記筐体の前記排気口に接続される筒状に形成されて、外周面が前記色合成光学装置における各入射端面の間の部位に熱伝達可能に当接して設けられた冷却空気分岐部を備えている
ことを特徴とするプロジェクタ。
【請求項６】
請求項１ないし請求項５のいずれかに記載のプロジェクタにおいて、
前記光変調装置の射出端面は前記色合成光学装置の入射端面に直接貼り付けられている
ことを特徴とするプロジェクタ。
【請求項７】
請求項１ないし請求項６のいずれかに記載のプロジェクタにおいて、
前記光変調装置の入射側には入射側偏光板が設けられ、かつ、前記光変調装置の射出側には射出側偏光板が設けられ、
前記射出側偏光板は、前記色合成光学装置の射出端面に直接貼り付けられている
ことを特徴とするプロジェクタ。
【発明の詳細な説明】
【技術分野】
【０００１】
本発明は、複数の色光を色光毎に画像情報に応じて変調する複数の光変調装置と、前記各光変調装置にて変調された各色光を合成する色合成光学装置とを備えたプロジェクタに関する。
【背景技術】
【０００２】
従来、光源からのＲ，Ｇ，Ｂの３つの色光を色光毎に画像情報に応じて変調する３つの液晶パネル（光変調装置）、および、これら液晶パネルにて変調された３つの光束を合成して画像光を形成するクロスダイクロイックプリズム（色合成光学装置）を備えたプロジェクタが知られている。
このようなプロジェクタにおいては、光源からの色光を変調する際に各液晶パネルに熱が発生し、この熱により各液晶パネルの駆動に不具合が発生するという問題がある。
【０００３】
この問題に対して、従来、各液晶パネルに冷却空気を直接導入して、各液晶パネルを冷却する構成が知られている（例えば、特許文献１参照）。この特許文献１には、ケースの底面に設けられたシロッコファンにてケース内部に冷却空気を流入させ、この冷却空気を液晶パネルに向けて導入する。そして、当該冷却空気は、液晶パネルの表裏両面に沿って流れ、ケースの全面側に設けられた排気口より排気されるという構成が示されている。
【０００４】
【特許文献１】特開２００３−１２１９３１号公報（第１５〜２１頁、図１３等参照）
【発明の開示】
【発明が解決しようとする課題】
【０００５】
しかしながら、特許文献１に記載の構成では、各液晶パネルに対して冷却空気を直接導入するため、冷却空気中に含まれる塵埃等が液晶パネルに付着してしまい、これにて、プロジェクタの画質が劣化してしまうおそれがあるという問題がある。
【０００６】
本発明は、上記課題に鑑みてなされたものであり、光変調装置を好適に冷却できかつ良好な画質が得られるプロジェクタを提供することを目的とする。
【課題を解決するための手段】
【０００７】
上述した目的を達成するために、本発明に係るプロジェクタは、複数の色光を色光毎に画像情報に応じて変調する複数の光変調装置と、前記各光変調装置にて変調された各色光を合成する色合成光学装置とを備えたプロジェクタであって、前記各光変調装置は、前記色合成光学装置に対して熱伝達可能な状態で取り付けられ、内部に前記各光変調装置および前記色合成光学装置を収容し、外部の空気を内部に導入する吸気口、および、内部の空気を外部に排気する排気口が形成され、前記吸気口から前記排気口に至り内部を冷却する冷却空気を流す流路部を有した筐体と、前記筐体の内部に取り付けられて、前記各光変調装置および前記色合成光学装置を支持する熱伝導性材料からなるフレームとを具備し、前記フレームは、前記色合成光学装置が熱伝達可能な状態で取り付けられると共に、前記各光変調装置および前記色合成光学装置を前記流路部から遮断する取付面部と、前記取付面部の前記色合成光学装置とは反対側に設けられ、前記流路部の少なくとも一部を構成するダクトと、前記流路部内部に露出し、前記取付面部に熱伝達可能な状態で設けられた放熱部とを備えていることを特徴とする。
【０００８】
このようなプロジェクタによれば、光変調装置を好適に冷却でき、かつ、良好な画質を得ることができる。
すなわち、各光変調装置は色合成光学装置に熱伝達可能な状態で取り付けられ、さらに、色合成光学装置はフレームの取付面部に熱伝達可能な状態で取り付けられている。このため、各光変調装置において発生した熱を、色合成光学装置および取付面部を介して放熱部まで伝達させることができ、放熱部にて冷却させることができる。しかも、フレームにおける取付面部と、ダクトと、放熱部とは熱伝導性材料にて一連に設けられているので、色合成光学装置に伝達された熱を高効率で放熱部より放熱させることができる。
さらに、取付面部にて各光変調装置および色合成光学装置を流路部から遮断しているので、各光変調装置および色合成光学装置に冷却空気中に含まれる塵埃等が付着することを防ぐことができる。これにより、当該塵埃等にてプロジェクタの画質が劣化してしまうことを防ぐことができ、プロジェクタの良好な画質が得られる。
【０００９】
本発明に係るプロジェクタでは、前記放熱部は、前記流路部内の流路に沿って延出する複数の板状のフィンを備えていることが好ましい。
【００１０】
このようなプロジェクタによれば、複数のフィンは流路部内の流路に沿って設けられているので、各光変調装置から色合成光学装置および取付面部を介して複数のフィンまで伝達された熱を、効率良く放熱することができる。したがって、各光変調装置を高効率で冷却できる。
【００１１】
本発明に係るプロジェクタでは、前記フレームには、前記筐体の前記吸気口に空気取入口が対向配置され、かつ、空気吐出口が前記ダクトに臨むシロッコファンが一体的に設けられていることが好ましい。
【００１２】
このようなプロジェクタによれば、フレームにシロッコファンを一体的に設けているので、シロッコファンのハウジング部にも各光変調装置からの熱が伝達され、当該各光変調装置からの熱を放熱部だけでなく当該ハウジング部でも放熱させることができる。したがって、各光変調装置の冷却効率をさらに向上できる。また、フレームの設置スペースが小さくて済み、プロジェクタの小型化を図ることができる。さらに、プロジェクタの製造時には、色合成光学装置等と、フレームと、シロッコファンとの筐体への組み付けを同時に行うことができる。そして、このようなシロッコファンが一体となったフレームは、例えばアルミダイキャスト法などにて形成できるので、フレームの量産化を図ることができる。したがって、プロジェクタの製造効率を向上でき、低コスト化を図ることができる。
【００１３】
本発明に係るプロジェクタでは、前記フレームには、前記筐体の前記吸気口に空気取入口が対向配置され、かつ、空気吐出口が前記ダクトに臨む軸流ファンが一体的に設けられていることが好ましい。
【００１４】
このようなプロジェクタによれば、軸流ファンより取り込んだ冷却空気を放熱部に直接導入することができるので、各光変調装置からの熱を放熱部により高効率で冷却できる。また、フレームに軸流ファンを一体的に設けているので、軸流ファンのハウジング部にも各光変調装置からの熱が伝達され、当該各光変調装置からの熱を放熱部だけでなく当該ハウジング部でも放熱させることができる。したがって、各光変調装置の冷却効率をさらに向上できる。さらに、プロジェクタの製造時には、色合成光学装置等と、フレームと、軸流ファンとの筐体への組み付けを同時に行うことができる。そして、このような軸流ファンが一体となったフレームは、例えばアルミダイキャスト法などにて形成できるので、フレームの量産化を図ることができる。したがって、プロジェクタの製造効率を向上でき、低コスト化を図ることができる。
【００１５】
本発明に係るプロジェクタでは前記フレームは、前記取付面部の面外方向に突出し、一端が前記ダクト内部に開口され、かつ、他端が前記筐体の前記排気口に接続される筒状に形成されて、外周面が前記色合成光学装置における各入射端面の間の部位に熱伝達可能に当接して設けられた冷却空気分岐部を備えていることが好ましい。
【００１６】
このようなプロジェクタによれば、流路部内における冷却空気の少なくとも一部を、冷却空気分岐部の内部に取り込んで流通させることができる。このため、各光変調装置の熱を放熱部より放熱できるのに加え、更に冷却空気分岐部を介して放熱できるようになるので、各光変調装置の冷却効果を著しく向上できる。特に、冷却空気分岐部は、色合成光学装置における各入射端面の間の部位に当接して設けられているので、各光変調装置の全体を満遍なく冷却することができる。しかも、冷却空気は各光変調装置とは遮断された状態で冷却空気分岐部の内部を流通するので、当該冷却空気が各光変調装置に付着することを防ぐことができる。このため、当該塵埃等にてプロジェクタの画質が劣化してしまうことを防ぐことができ、プロジェクタの良好な画質が得られる。
また、このような冷却空気分岐部が一体となったフレームは、単純な構造であるので製造が容易であり、さらに、例えばアルミダイキャスト法などにて形成できるので、高効率かつ低コストで製造できる。
【００１７】
本発明に係るプロジェクタでは、前記光変調装置の射出端面は前記色合成光学装置の入射端面に直接貼り付けられていることが好ましい。
【００１８】
このようなプロジェクタによれば、各光変調装置を色合成光学装置に直接貼り付けているので、各光変調装置で発生した熱を色合成光学装置側に良好に伝達させることができる。したがって、各光変調装置の冷却効率をさらに向上させることができる。
【００１９】
本発明に係るプロジェクタでは、前記光変調装置の入射側には入射側偏光板が設けられ、かつ、前記光変調装置の射出側には射出側偏光板が設けられ、前記射出側偏光板は、前記色合成光学装置の射出端面に直接貼り付けられていることが好ましい。
【００２０】
一般的に、射出側偏光板は、例えばポリビニルアルコール（ＰＶＡ）などの樹脂材にて形成された偏光膜を備えており、各光変調装置の射出側と色合成光学装置の入射端面との間に配設されている。
本発明においては、各光変調装置と色合成光学装置の入射端面との間に熱伝導性を確保する必要があり、このような熱伝導性に劣る射出側偏光板を、各光変調装置と色合成光学装置との間に配設することは困難である。したがって、このような射出側偏光板を色合成光学装置における射出端面側に配設することで、各光変調装置と色合成光学装置との間の熱伝導性を確保することができ、かつ、射出側偏光板にて色合成光学装置にて形成した光学像より所定の方向の光のみを透過させることができる。これにより、各光変調装置を好適に冷却でき、かつ、良好な光学像を投影できる。
また、射出側偏光板には光学像を偏光する際に熱が発生する。ここで、上述のように偏光膜は樹脂材にて構成されているので、当該熱にて偏光膜が変形するなどの不具合が発生する問題があり、このため、射出側偏光板も冷却する必要がある。この点、本発明では、射出側偏光板を色合成光学装置における射出端面に直接貼着しているので、色合成光学装置およびフレームを介して射出側偏光板を高効率で冷却することができる。
【発明を実施するための最良の形態】
【００２１】
以下、本発明の一実施形態を図面に基づいて説明する。
（１）第１実施形態
(1-1)プロジェクタ１の概略構成
まず、本第１実施形態に係るプロジェクタ１の概略構成について、主として図１および２に基づいて説明する。図１は、本発明の第１実施形態に係るプロジェクタ１の概略構成を模式的に示した平面図であり、図２はその側断面図である。
【００２２】
図１において、１はプロジェクタであり、このプロジェクタ１は、光源から射出される光束を画像情報に応じて変調して光学像を形成し、形成した光学像をスクリーン（図示略）上に拡大投射するものである。このようなプロジェクタ１は、筐体１０と、光学装置２０と、制御基板３０（図２参照）と、冷却ユニット４０（図２参照）とを備えて構成されている。
なお、図１および２において図示は省略するが、筐体１０内において、光学装置２０、制御基板３０、冷却ユニット４０以外の空間には、プロジェクタ１の構成部材に電力を供給する電源ユニット等が配置される。
【００２３】
筐体１０は、図２に示すように、光学装置２０、制御基板３０、冷却ユニット４０を内部に収納配置する。
この筐体１０において、前面には、後述する光学装置２０における投射レンズ２５の先端部分を外部に露出させるための円孔１１が形成されている。また、筐体１０の底面には外部の冷却空気を内部に導入するための吸気口１２が設けられ、上面にはプロジェクタ１内部で加熱された空気を外部に排出するための複数の排気口１３，１４が設けられている。
【００２４】
制御基板３０は、図２に示すように、光学装置２０の上方側に配設されており、プロジェクタ１の全体の動作を制御する。具体的には、この制御基板３０は、後述する光学装置２０における各ＬＥＤモジュール２１Ｒ，２１Ｇ，２１Ｂおよび各ライトバルブ２３Ｒ，２３Ｇ，２３Ｂと、各種信号が送受信可能な状態で接続されている。そして、制御基板３０は、外部から入力される画像信号に応じて、各ＬＥＤモジュール２１Ｒ，２１Ｇ，２１Ｂを点灯させ、各ライトバルブ２３Ｒ，２３Ｇ，２３Ｂに所定の光学像を形成させる。また、制御基板３０は、後述する冷却ユニット４０におけるシロッコファン４６とも各種信号が送受信可能な状態で接続されており、光学装置２０の駆動状態に応じてシロッコファン４６の駆動を制御する。
【００２５】
(1-2)光学装置２０の構成
次に、光学装置２０の具体的な構成について、主として図１に基づいて説明する。
光学装置２０は、光源から射出された光束を光学的に処理して画像情報に対応した光学像（カラー画像）を形成してスクリーン（図示略）上に拡大投射するものである。このような光学装置２０は、図１に示すように、光源装置２１と、均一照明光学系２２と、光変調装置としての液晶ライトバルブ２３と、色合成光学装置としてのクロスダイクロイックプリズム２４と、投射レンズ２５とを備えている。
なお、光源装置２１および均一照明光学系２２は、所定の照明光軸が設定されたライトガイド２６（図中二点鎖線）内に、位置決め調整されて収納されている。
【００２６】
光源装置２１は、Ｒ色光を射出するＲ色光用ＬＥＤ（Light Emitting Diode）モジュール２１Ｒと、Ｇ色光を射出するＧ色光用ＬＥＤモジュール２１Ｇと、Ｂ色光を射出するＢ色光用ＬＥＤモジュール２１Ｂとで構成されている。これら各ＬＥＤモジュール２１Ｒ，２１Ｇ，２１Ｂは、クロスダイクロイックプリズム２４の側面三方にそれぞれ対向するように配設されて、それぞれ熱伝導性の部材にて形成された支持基台２１１に持固定されている。そして、各ＬＥＤモジュール２１Ｒ，２１Ｇ，２１Ｂは、制御基板３０と各種信号が送受信可能な状態で接続されており、制御基板３０の制御により点灯し、均一照明光学系２２に向けて光束を射出するようになっている。
このような各ＬＥＤモジュール２１Ｒ，２１Ｇ，２１Ｂは、Ｓｉ基板上に固体発光素子である複数のＬＥＤ素子が配列形成されたものであり、各ＬＥＤ素子は、Ｒ色光、Ｇ色光、Ｂ色光を発するようにそれぞれ結晶の種類および添加物等を異ならせて形成されている。
なお、光源装置としては、上述したＬＥＤモジュールに限らず、その他の構成、例えば、レーザダイオードや、有機ＥＬ(Electro Luminescence)素子、シリコン発光素子等の各種固体発光素子を採用してもよい。
【００２７】
均一照明光学系２２は、図１に示すように、各ＬＥＤモジュール２１Ｒ，２１Ｇ，２１Ｂの光路後段側にそれぞれ配設され、各ＬＥＤモジュール２１Ｒ，２１Ｇ，２１Ｂから射出された各色光の面内照度を均一化して液晶ライトバルブ２３に射出するものである。このような均一照明光学系２２は、集光レンズ２２１と、ＰＢＳ（偏向ビームスプリッタ）２２２と、ロッドインテグレータ２２３とを備えており、これら各光学部品は各ＬＥＤモジュール２１Ｒ，２１Ｇ，２１Ｂの光路に沿って順に配設されている。
集光レンズ２２１は、各ＬＥＤモジュール２１Ｒ，２１Ｇ，２１Ｂより射出された色光を集光するレンズである。
ＰＢＳ２２２は、集光レンズ２２１にて集光された各色光光束を一方向の直線偏光（Ｐ偏光あるいはＳ偏光）に揃える偏光部材である。これら各ＰＢＳ２２２は、各ロッドインテグレータ２２３の入射端面に一体的に取り付けられており、各ＰＢＳ２２２にて偏光された各色光を各ロッドインテグレータ２２３へと直接導入するように構成されている。
ロッドインテグレータ２２３は、各ＰＢＳ２２２より入射された各色光束を内部で反射を繰り返させて重畳させることにより、各色光の面内照度を均一化し、当該各色光束を射出端面より射出して液晶ライトバルブ２３へと導入するように構成されている。これにて、各色光の照度（輝度分布）が均一化されて、クロスダイクロイックプリズム２４にて形成される光学像に輝度ムラが生じなくなる。なお、ロッドインテグレータ２２３の代わりに、複数の小レンズがマトリクス状に配列されたレンズアレイ等を採用することもできる。
【００２８】
液晶ライトバルブ２３は、図１に示すように、各ＬＥＤモジュール２１Ｒ，２１Ｇ，２１Ｂに対応して、Ｒライトバルブ２３Ｒと、Ｇライトバルブ２３Ｇと、Ｂライトバルブ２３Ｂとを備えて構成されている。これらライトバルブ２３Ｒ，２３Ｇ，２３Ｂは、それぞれの射出端面がクロスダイクロイックプリズム２４の３つの入射端面に直接貼り付けられており、熱伝達可能な状態となっている。
このようなライトバルブ２３Ｒ，２３Ｇ，２３Ｂは、透過型の液晶パネルであり、それぞれ制御基板３０と各種信号が送受信可能な状態で接続されている。そして、制御基板３０からの駆動信号に基づいて、液晶セル（図示略）に封入された液晶分子の配列を変化させ、各ロッドインテグレータ２２３から射出された各色光を、それぞれ透過若しくは遮断することにより画像情報に応じて変調する。そして、当該変調した各光学像をクロスダイクロイックプリズム２４に射出するように構成されている。
なお、各ライトバルブ２３Ｒ，２３Ｇ，２３Ｂとクロスダイクロイックプリズム２４との貼着方法に関しては、特に限定されない。例えば、熱伝導性および透光性に優れた熱硬化性接着剤あるいは紫外線硬化性接着剤により、各部同士を接着してもよい。また、例えば、熱伝導性および透光性に優れたゲル状体等を各部間に介装させ、各部同士を別の固定手段を用いて固定する構成としてもよい。
【００２９】
また、各ライトバルブ２３Ｒ，２３Ｇ，２３Ｂの入射端面には入射側偏光板２３１が直接貼り付けられており、各入射側偏光板２３１と各ライトバルブ２３Ｒ，２３Ｇ，２３Ｂとは熱伝達可能な状態となっている。
このような入射側偏光板２３１は、例えば、サファイアガラスまたは水晶等の透光性基板上に偏光膜が貼付された構成を有している。この偏光膜は、ＰＶＡにヨウ素を吸着・分散させてフィルム状とした後に、このフィルム状のものを一定方向に延伸し、さらに、延伸されたフィルムの両面にアセテートセルロース系のフィルムを接着剤で積層することにより形成されている。
そして、各入射側偏光板２３１は、各ロッドインテグレータ２２３より入射された光束のうち、ＰＢＳ２２２で揃えられた光束の偏光軸と略同一方向の偏光光束のみ各ライトバルブ２３Ｒ，２３Ｇ，２３Ｂに透過させ、その他の光束を吸収するように構成されている。
なお、各入射側偏光板２３１と各ライトバルブ２３Ｒ，２３Ｇ，２３Ｂとの貼着方法に関しては、特に限定されない。例えば、熱伝導性および透光性に優れた熱硬化性接着剤あるいは紫外線硬化性接着剤により、各部同士を接着してもよい。また、例えば、熱伝導性および透光性に優れたゲル状体等を各部間に介装させ、各部同士を別の固定手段を用いて固定する構成としてもよい。
【００３０】
クロスダイクロイックプリズム２４は、各ライトバルブ２３Ｒ，２３Ｇ，２３Ｂから射出された色光毎に変調された光学像を合成してカラー画像を形成する光学素子である。このクロスダイクロイックプリズム２４は、４つの直角プリズムを貼り合わせた平面視略正方形状をなし、直角プリズム同士を貼り合わせた界面には、２つの誘電体多層膜が形成されている。これら誘電体多層膜は、互いに対向する各液晶ライトバルブから射出された各色光を反射し、投射レンズに対向する液晶ライトバルブから射出された色光を透過する。このようにして、各ライトバルブ２３Ｒ，２３Ｇ，２３Ｂにて変調された各色光が合成されてカラー画像が形成される。
【００３１】
また、このクロスダイクロイックプリズム２４の射出端面には、射出側偏光板２４１が直接貼り付けられており、射出側偏光板２４１とクロスダイクロイックプリズム２４とが熱伝達可能な状態となっている。
このような射出側偏光板２４１は、サファイアガラスまたは水晶等の透光性基板上に偏光膜が貼付された構成を有している。この偏光膜は、上記した入射側偏光板２３１の偏光膜と同様に形成されている。このような射出側偏光板２４１により、クロスダイクロイックプリズム２４にて形成されたカラー画像のうち、所定の偏光軸を有するカラー画像のみが透過して、投射レンズ２５へと導入されるようになっている。
なお、射出側偏光板２４１とクロスダイクロイックプリズム２４との貼着方法に関しては、特に限定されない。例えば、熱伝導性および透光性に優れた熱硬化性接着剤あるいは紫外線硬化性接着剤により、各部同士を接着してもよい。また、例えば、熱伝導性および透光性に優れたゲル状体等を各部間に介装させ、各部同士を別の固定手段を用いて固定する構成としてもよい。
【００３２】
投射レンズ２５は、複数のレンズが組み合わされた組レンズとして構成される。そして、この投射レンズ２５は、クロスダイクロイックプリズム２４より射出され、かつ、射出側偏光板２４１を通過したカラー画像を、図示しないスクリーン上に拡大投射するように構成されている。
【００３３】
(1-3)冷却ユニット４０の構成
次に、冷却ユニット４０の具体的な構成について、主として図２および３に基づいて説明する。図３は、光学装置２０および冷却ユニット４０のそれぞれの要部を示すものであり、（Ａ）は一の方向からの斜視図であり、（Ｂ）は他の方向からの斜視図である。
冷却ユニット４０は、光学装置２０における各ライトバルブ２３Ｒ，２３Ｇ，２３Ｂ、入射側偏光板２３１、射出側偏光板２４１および各ＬＥＤモジュール２１Ｒ，２１Ｇ，２１Ｂを、筐体１０の外部から取り込んだ冷却空気で冷却するものである。このような冷却ユニット４０は、図２に示すように、フレーム４１と、光源用冷却流路部４２とを備えて構成されている。
【００３４】
フレーム４１は、例えばアルミニウムなどの熱伝導性材料にて形成され、各ライトバルブ２３Ｒ，２３Ｇ，２３Ｂおよびクロスダイクロイックプリズム２４等を支持した状態で筐体１０の内部中央に取り付けられている。このようなフレーム４１は、取付面部４３と、ダクト４４と、放熱部４５と、シロッコファン４６と、冷却空気取込部４７と、冷却空気分岐部４８とを備えており、各部が一体的に連結された構造となっている。
なお、このフレーム４１は、ライトガイド２６と共に、光学装置２０の各光学部品の所定の照明光軸を設定する。
【００３５】
取付面部４３は、図２および３に示すように、略矩形平板状に形成された部位であり、その上端面（図２参照）にはクロスダイクロイックプリズム２４の下面（図２参照）が熱伝達可能な状態で取り付けられている。この状態では、取付面部４３の外周縁を構成する４つの端部が、それぞれ、クロスダイクロイックプリズム２４の下面の外周縁を構成する４つの端部のうち対向する端部と、略平行した状態となっている。
なお、この取付面部４３とクロスダイクロイックプリズム２４との取付方法に関しては、特に限定されない。例えば、熱伝導性に優れた熱硬化性接着剤あるいは紫外線硬化性接着剤を用いて、取付面部４３とクロスダイクロイックプリズム２４とを接着する構成としてもよい。また、例えば、取付面部４３とクロスダイクロイックプリズム２４との間に熱伝導性に優れたゲル状体等を介装させ、これら取付面部４３とクロスダイクロイックプリズム２４とを別の固定部材を介して連結固定する構成としてもよい。
【００３６】
ダクト４４は、図３に示すように、一対の板状体４４１と、取付面部４３の下面部とにて構成されている。一対の板状体４４１は、取付面部４３におけるクロスダイクロイックプリズム２４の射出端面と平面視で直交する両端部が、クロスダイクロイックプリズム２４等の反対側（図２中下側）へ向けて延出した部位であり、互いに平行する状態で対向配置されている。
このようなダクト４４は、本発明における流路部の一部を構成する。すなわち、ダクト４４の下端面部は筐体１０の底面に当接して設けられ、この状態で、ダクト４４および筐体１０の底面とにより断面矩形状の筒状の空間が形成される。そして、当該筒状の空間は、軸方向両端のうち投射レンズ２５と対向する側（以下、上流側と称す）より冷却空気が流入されて、この冷却空気が当該軸方向に沿って流通する流路Ｒ１（図２中矢印）となる。
この流路Ｒ１とライトバルブ２３Ｒ，２３Ｇ，２３Ｂおよびクロスダイクロイックプリズム２４とは、取付面部４３にて遮断されており、流路Ｒ１中の冷却空気はこれら光学部品側に流入しないようになっている。
【００３７】
放熱部４５は、図３に示すように、略矩形板状の複数のフィン４５１を備えて構成されている。これら複数のフィン４５１は、ダクト４４の内部において、取付面部４３の下面から流路Ｒ１（図２参照）内部へと立ち上がる状態で一連に設けられ、ダクト４４の内部に形成される流路Ｒ１中に露出されるようになっている。また、複数のフィン４５１は、ダクト４４の一対の板状体４４１と略平行して設けられており、流路Ｒ１中における冷却空気の流れ方向に略沿う状態となっている。
ここで、上述した光学装置２０において、各ライトバルブ２３Ｒ，２３Ｇ，２３Ｂ、入射側偏光板２３１および射出側偏光板２４１は、クロスダイクロイックプリズム２４および取付面部４３を介して、複数のフィン４５１に熱伝達可能に接続されている。これにより、複数のフィン４５１を介して、各ライトバルブ２３Ｒ，２３Ｇ，２３Ｂ、入射側偏光板２３１および射出側偏光板２４１にて発生した熱を、流路Ｒ１中の冷却空気にて冷却することが可能とされている。
【００３８】
シロッコファン４６は、ダクト４４内に冷却空気を導入する送風手段であり、ダクト４４に隣接して一体的に設けられている。具体的には、シロッコファン４６は、図３に示すように、ハウジング部４６１と、このハウジング部４６１の内部に設けられた回転部４６２とを備えている。
ハウジング部４６１は、ダクト４４と平面視で隣接する位置、かつ、ダクト４４の上流側端部に一連に設けられた略円筒状の部位であり、空気取入口となる開口端部が筐体１０の吸気口１２に対向配置されている。また、ハウジング部４６１の内周側面におけるダクト４４の上流側に臨む部位には、図示しない空気吐出口が設けられており、この空気吐出口を介してダクト４４の内部に冷却空気が流入するようになっている。そして、ハウジング部４６１には複数の取付孔４６３が設けられており、これら取付孔４６３を介してハウジング部４６１と筐体１０とが図示しないねじなどにて連結されている。これにて、クロスダイクロイックプリズム２４等が、フレーム４１を介して筐体１０に固定された状態となっている。
回転部４６２は、具体的には図示しないが、ファンと、このファンの中心部に連結されてハウジング部４６１の円筒軸と同軸で回転する回転軸と、この回転軸を駆動させる駆動部とを備えている。この駆動部は、制御基板３０と各種信号が送受信可能な状態で接続されており、制御基板３０の制御により、回転軸を介してファンを回転させる。これにより、筐体１０の吸気口１２からダクト４４内に、冷却空気が導入されるようになっている。
【００３９】
冷却空気取込部４７は、図３（Ｂ）に示すように、ダクト４４の内部における一対の板状体４４１と複数のフィン４５１との間に設けられた略Ｌ字板状の部位であり、一対の板状体４４１に対応して一対で設けられている。この冷却空気取込部４７は、取付面部４３から流路Ｒ１内部へと立ち上がる状態に形成されて、それぞれの一端は一対の板状体４４１の端部とそれぞれ連結されている。これにより、冷却空気取込部４７と一対の板状体４４１との内部には、流路Ｒ１の上流側が開口しかつ下流側が閉塞した空間が形成され、この空間に流路Ｒ１中の冷却空気の一部が取り込まれるようになっている。
【００４０】
冷却空気分岐部４８は、図３に示すように、取付面部４３から面外方向（図２中上方）へ向けて突出した、軸直交断面形状が三角形の筒状の部位である。この冷却空気分岐部４８は、一対の冷却空気取込部４７に対応してそれぞれ設けられている。そして、冷却空気分岐部４８の基端側はダクト４４の内部に開口されて、冷却空気取込部４７の上記空間と連通している。また、冷却空気分岐部４８の先端部は筐体１０の排気口１３（図２参照）に接続されている。
このような冷却空気分岐部４８は、本発明における流路部の一部を構成する。すなわち、冷却空気分岐部４８の内部は、流路Ｒ１の一部である冷却空気取込部４７の上記空間内に連通し、当該空間から筐体１０の外部へと冷却空気を流通させる流路Ｒ２となる。
そして、これら冷却空気分岐部４８の外周面は、クロスダイクロイックプリズム２４における各入射端面の間の部位に、それぞれ熱伝達可能な状態で当接して設けられている。これにて、冷却空気分岐部４８を介して、各ライトバルブ２３Ｒ，２３Ｇ，２３Ｂ、入射側偏光板２３１および射出側偏光板２４１にて発生した熱を、流路Ｒ２中の冷却空気にて冷却することが可能とされている。
なお、流路Ｒ２とライトバルブ２３Ｒ，２３Ｇ，２３Ｂおよびクロスダイクロイックプリズム２４とは、冷却空気分岐部４８にて遮断されており、流路Ｒ２中の冷却空気はこれら光学部品側に流入しないようになっている。
【００４１】
光源用冷却流路部４２は、図２に示すように、アルミニウムなどの熱伝導性材料にて例えばＵ字溝状に形成されて、一端がダクト４４の排気側端部（図中左側端部）に連結されている。そして、光源用冷却流路部４２の他端側は３方に分岐されて（図１参照）、筐体１０の上面端部側にそれぞれ形成された排気口１４へと接続されている。このような光源用冷却流路部４２は、そのＵ字溝状の開口側端部が筐体１０の内周面に当接する状態で設けられており、筐体１０の内周面形状に沿って適宜曲折されている。これにて、光源用冷却流路部４２と筐体１０の内周面とで、ダクト４４の排気側端部から筐体１０の３つの排気口１４へ向かって流通する冷却空気の流路Ｒ３が形成される。すなわち、光源用冷却流路部４２は本発明における流路部の一部を構成し、以上において、本発明の流路部は光源用冷却流路部４２と、ダクト４４と、冷却空気分岐部４８とで構成されている。
【００４２】
ここで、上述したように、光学装置２０における各ＬＥＤモジュール２１Ｒ，２１Ｇ，２１Ｂの各支持基台２１１は、熱伝導性を有する部材で構成されている。そして、各支持基台２１１は、光源用冷却流路部４２の外周面の一部に熱伝達可能な状態で接続されている。なお、この接続方法に関しては、特に限定されない。例えば、各支持基台２１１と光源用冷却流路部４２とを、熱伝導性に優れた熱硬化性接着剤あるいは紫外線硬化性接着剤により直接的に接着してもよい。また、例えば、各支持基台２１１を光源用冷却流路部４２にねじなどの固定手段を用いて直接取り付けてもよい。さらに、例えば、熱伝導性に優れた部材を各支持基台２１１と光源用冷却流路部４２との間に介装させてもよい。
このように、各ＬＥＤモジュール２１Ｒ，２１Ｇ，２１Ｂは、各支持基台２１１を介して、光源用冷却流路部４２に熱伝達可能に接続されている。これにより、各ＬＥＤモジュール２１Ｒ，２１Ｇ，２１Ｂが駆動した際に発生した熱は、光源用冷却流路部４２にて形成された流路Ｒ３内の冷却流体と熱交換されて、冷却されるようになっている。
【００４３】
(1-4)プロジェクタ１の動作
以上のような構成のプロジェクタ１の動作について説明する。
図１において、制御基板３０の制御により、各ＬＥＤモジュール２１Ｒ，２１Ｇ，２１ＢにてＲ色，Ｇ色，Ｂ色の各色光が発光されると、当該各色光は各集光レンズ２２１により集光されてＰＢＳ２２２に向けて射出される。そして、各ＰＢＳ２２２にて偏光された各色光光束は、各ロッドインテグレータ２２３にて面内照度が均一化され、各入射側偏光板２３１へ向けて射出される。さらに、各ロッドインテグレータ２２３からの各色光光束は、各入射側偏光板２３１にて偏光された後、制御基板３０による制御の下、各ライトバルブ２３Ｒ，２３Ｇ，２３Ｂにて画像情報に応じて変調される。
この後、各ライトバルブ２３Ｒ，２３Ｇ，２３Ｂから射出された色光毎に変調された光学像がクロスダイクロイックプリズム２４に入射されて、各光学像はクロスダイクロイックプリズム２４にて合成されてカラー画像が形成される。さらに、当該カラー画像は、クロスダイクロイックプリズム２４より射出側偏光板２４１へ向けて射出されて、射出側偏光板２４１にて偏光された後、投射レンズ２５にて図示しないスクリーン上に拡大投射される。
【００４４】
以上の光学装置２０の動作において、各ＬＥＤモジュール２１Ｒ，２１Ｇ，２１Ｂ、各入射側偏光板２３１、各ライトバルブ２３Ｒ，２３Ｇ，２３Ｂ、および、射出側偏光板２４１には熱が発生し、これらの熱は冷却ユニット４０にて冷却される。
すなわち、制御基板３０の制御によりシロッコファン４６が駆動され、図２中矢印Ａに示すように、シロッコファン４６の駆動により筐体１０外部の冷却空気は吸気口１２を介して筐体１０の内部へと取り込まれる。そして、取り込まれた当該冷却空気は、ダクト４４にて形成される流路Ｒ１へと流入する。この冷却空気により、複数のフィン４５１を介して、各ライトバルブ２３Ｒ，２３Ｇ，２３Ｂ、入射側偏光板２３１および射出側偏光板２４１にて発生した熱が冷却される。また、この冷却の際には、流路Ｒ１中の冷却空気は当該光学部品側に流入しないので、当該光学部品に冷却空気中に含まれる塵埃等が付着することがない。
【００４５】
この後、流路Ｒ１内の冷却空気の一部は、冷却空気分岐部４８にて形成される流路Ｒ２へと流入する。この冷却空気により、冷却空気分岐部４８を介して、各ライトバルブ２３Ｒ，２３Ｇ，２３Ｂ、入射側偏光板２３１および射出側偏光板２４１にて発生した熱が冷却される。また、この冷却の際には、流路Ｒ２中の冷却空気は当該光学部品側に流入しないので、当該光学部品に冷却空気中に含まれる塵埃等が付着することがない。そして、このようにして熱交換された後の加熱された空気は、図２中矢印Ｂに示すように、筐体１０の排気口１３を介して筐体１０の外部へと排気される。
【００４６】
一方、流路Ｒ１内の冷却空気の残部は、光源用冷却流路部４２にて形成される流路Ｒ３へと流入する。この冷却空気により、各支持基台２１１および光源用冷却流路部４２を介して、各ＬＥＤモジュール２１Ｒ，２１Ｇ，２１Ｂにて発生した熱が冷却される。その結果、各ＬＥＤモジュール２１Ｒ，２１Ｇ，２１Ｂの発光効率の低下が防止される。そして、このようにして熱交換された後の加熱された空気は、図２中矢印Ｃに示すように、筐体１０の排気口１４を介して筐体１０の外部へと排気される。
なお、各ライトバルブ２３Ｒ，２３Ｇ，２３Ｂ、入射側偏光板２３１および射出側偏光板２４１で発生する熱は、各ＬＥＤモジュール２１Ｒ，２１Ｇ，２１Ｂにて発生する熱に比べて低く、流路Ｒ１内においては冷却空気はさほど加熱されない。このため、流路Ｒ１の下流側となる流路Ｒ３内における冷却空気は低温のまま各支持基台２１１と対応する部位まで流通され、ここで各ＬＥＤモジュール２１Ｒ，２１Ｇ，２１Ｂからの熱により強く加熱されることになる。したがって、１つのシロッコファン４６による冷却気体の送風により、各ライトバルブ２３Ｒ，２３Ｇ，２３Ｂ、入射側偏光板２３１、射出側偏光板２４１および各ＬＥＤモジュール２１Ｒ，２１Ｇ，２１Ｂが高効率で冷却される。
【００４７】
(1-5)プロジェクタ１の効果
上述した、第１実施形態のプロジェクタ１によれば以下の効果を奏することができる。
【００４８】
(1-5-1)各ライトバルブ２３Ｒ，２３Ｇ，２３Ｂをクロスダイクロイックプリズム２４に直接貼り付け、さらに、クロスダイクロイックプリズム２４を取付面部４３に直接貼り付けている。このため、各ライトバルブ２３Ｒ，２３Ｇ，２３Ｂにて発生した熱を、クロスダイクロイックプリズム２４および取付面部４３を介して、複数のフィン４５１にて高効率で冷却できる。また、取付面部４３により各ライトバルブ２３Ｒ，２３Ｇ，２３Ｂ等を流路Ｒ１から遮断しているので、当該光学部品に冷却空気中に含まれる塵埃等が付着することを防ぐことができる。これにより、当該塵埃等にてプロジェクタ１の画質が劣化してしまうことを防ぐことができ、プロジェクタ１の良好な画質が得られる。
【００４９】
(1-5-2)フレーム４１にシロッコファン４６を一体的に設けているので、シロッコファン４６のハウジング部４６１にも各ライトバルブ２３Ｒ，２３Ｇ，２３Ｂ等からの熱が伝達され、各ライトバルブ２３Ｒ，２３Ｇ，２３Ｂ等からの熱を複数のフィン４５１だけでなくハウジング部４６１でも冷却できる。また、取付孔４６３を介してハウジング部４６１と筐体１０とを連結するので、プロジェクタ１の製造時には、クロスダイクロイックプリズム２４等と、フレーム４１と、シロッコファン４６との筐体１０への組み付けを同時に行うことができる。さらに、シロッコファン４６をダクト４４と平面視で隣接する状態に設けているので、フレーム４１の設置スペースが小さくて済み、プロジェクタ１の小型化を図ることができる。
【００５０】
(1-5-3)フレーム４１に冷却空気取込部４７および冷却空気分岐部４８を設けているので、各ライトバルブ２３Ｒ，２３Ｇ，２３Ｂ等の熱を複数のフィン４５１より放熱できるのに加え、更に冷却空気分岐部４８を介して放熱できるようになるので、冷却効果を著しく向上できる。特に、冷却空気分岐部４８は、クロスダイクロイックプリズム２４における各入射端面の間の部位に当接して設けられているので、各ライトバルブ２３Ｒ，２３Ｇ，２３Ｂの全体を満遍なく冷却することができる。しかも、冷却空気は各ライトバルブ２３Ｒ，２３Ｇ，２３Ｂ等とは遮断された状態で冷却空気分岐部４８の内部を流通するので、当該冷却空気が各ライトバルブ２３Ｒ，２３Ｇ，２３Ｂ等に付着することを防ぐことができる。
【００５１】
(1-5-4)取付面部４３と、ダクト４４と、放熱部４５と、シロッコファン４６と、冷却空気取込部４７と、冷却空気分岐部４８とを備えたフレーム４１を一体構造としている。このようなフレーム４１は、例えばアルミダイキャスト法などにて形成できるので、フレーム４１の量産化を図ることができる。したがって、プロジェクタ１の製造効率を向上でき、低コスト化を図ることができる。
【００５２】
(1-5-5)射出側偏光板２４１をクロスダイクロイックプリズム２４における射出端面側に配設しているので、各ライトバルブ２３Ｒ，２３Ｇ，２３Ｂとクロスダイクロイックプリズム２４との間に射出側偏光板を設けなくて済む。このため、各ライトバルブ２３Ｒ，２３Ｇ，２３Ｂとクロスダイクロイックプリズム２４との間の熱伝導性を確保できる。また、射出側偏光板２４１をクロスダイクロイックプリズム２４に直接貼り付けているので、クロスダイクロイックプリズム２４およびフレーム４１を介して射出側偏光板２４１を効率良く冷却できる。
【００５３】
(1-5-6)各ライトバルブ２３Ｒ，２３Ｇ，２３Ｂの入射端面に各入射側偏光板２３１を直接貼着しているので、各入射側偏光板２３１で発生した熱をも合わせて冷却することができ、各入射側偏光板２３１の熱による損傷を防ぐことができる。また、各入射側偏光板２３１にも冷却空気が直接導入されないので、当該冷却空気が各入射側偏光板２３１に付着することを防ぐことができ、プロジェクタ１の良好なカラー画像が得られる。
【００５４】
(1-5-7)ダクト４４の排気側端部に光源用冷却流路部４２を設けて、光源用冷却流路部４２および各支持基台２１１を熱伝達可能に接続しているので、光源用冷却流路部４２および各支持基台２１１を介して各ＬＥＤモジュール２１Ｒ，２１Ｇ，２１Ｂにて発生した熱を冷却できる。したがって、各ＬＥＤモジュール２１Ｒ，２１Ｇ，２１Ｂの発光効率の低下を防止できる。また、１つのシロッコファン４６による冷却気体の送風により、各ライトバルブ２３Ｒ，２３Ｇ，２３Ｂ、入射側偏光板２３１、射出側偏光板２４１および各ＬＥＤモジュール２１Ｒ，２１Ｇ，２１Ｂを効率良く冷却できる。結果として、装置の小型化および消費エネルギーの低減効果を図ることができる。
【００５５】
（２）第２実施形態
次に、本発明の第２実施形態に係るプロジェクタ２について、図１および図４，５に基づいて説明する。図４は、本第２実施形態に係るプロジェクタ２の概略構成を模式的に示した側断面図である。図５は、本第２実施形態における光学装置２０および冷却ユニット４０Ａのそれぞれの要部を示すものであり、（Ａ）は一の方向からの斜視図であり、（Ｂ）は他の方向からの斜視図である。
なお、第２実施形態は、第１実施形態におけるシロッコファン４６を軸流ファン４９に置換したものであり、その他の構成は略同様である。したがって、以下においては、冷却ユニット４０Ａの構成を主に説明し、第１実施形態と同様の構成については同じ符号を付して説明を適宜省略する。
【００５６】
(2-1)冷却ユニット４０Ａの構成
冷却ユニット４０Ａは、第１実施形態の冷却ユニット４０と略同様の構成であり、図４に示すように、フレーム４１Ａと、光源用冷却流路部４２とを備えて構成されている。フレーム４１Ａは、取付面部４３と、ダクト４４と、放熱部４５と、冷却空気取込部４７と、冷却空気分岐部４８と、軸流ファン４９とを備えており、各部が一体的に連結された構造となっている。
【００５７】
軸流ファン４９は、ダクト４４内に冷却空気を導入する送風手段であり、ダクト４４の下端面部に一体的に設けられている。具体的には、軸流ファン４９は、図５に示すように、ハウジング部４９１と、このハウジング部４９１の内部に設けられた回転部４９２とを備えている。
ハウジング部４９１は、ダクト４４と平面視で重なるように一連に設けられた略円筒状の部位であり、空気取入口となる一開口端部が筐体１０の吸気口１２に対向配置されている。また、ハウジング部４９１のダクト４４に臨む他開口端部は空気吐出口（図示しない）とされ、この空気吐出口を介してダクト４４内部に冷却空気が流入されるようになっている。そして、ハウジング部４９１には複数の取付孔４９３が設けられており、これら取付孔４９３を介してハウジング部４９１と筐体１０とが図示しないねじなどにて連結されている。これにて、クロスダイクロイックプリズム２４等が、フレーム４１を介して筐体１０に固定された状態となっている。なお、回転部４９２の構成は、上記した回転部４６２の構成と同様であるため説明を省略する。
【００５８】
(2-2)冷却構造の動作
以上のような構成のプロジェクタ２の動作について説明する。なお、このプロジェクタ２の動作も上記第１実施形態のプロジェクタ１の動作と略同様であるため、同様の動作については説明を適宜省略する。
制御基板３０の制御により軸流ファン４９が駆動され、図４中矢印Ａに示すように、軸流ファン４９の駆動により、筐体１０外部の冷却空気はダクト４４内部の流路Ｒ１へと流入する。この後、流路Ｒ１内の冷却空気の一部は、冷却空気分岐部４８にて形成される流路Ｒ２へと流入し、熱交換後、図４中矢印Ｂに示すように、筐体１０の排気口１３を介して筐体１０の外部へと排気される。このような流路Ｒ１およびＲ２中の冷却空気により、複数のフィン４５１および冷却空気分岐部４８を介して、各ライトバルブ２３Ｒ，２３Ｇ，２３Ｂ、入射側偏光板２３１および射出側偏光板２４１にて発生した熱が冷却される。また、この冷却の際には、各流路Ｒ１，Ｒ２中の冷却空気は当該光学部品側に流入しないので、当該光学部品に冷却空気中に含まれる塵埃等が付着することがない。
【００５９】
一方、流路Ｒ１内の冷却空気の残部は、光源用冷却流路部４２にて形成される流路Ｒ３へと流入する。この冷却空気により、各支持基台２１１および光源用冷却流路部４２を介して、各ＬＥＤモジュール２１Ｒ，２１Ｇ，２１Ｂにて発生した熱が冷却される。熱交換された後の加熱された空気は、図４中矢印Ｃに示すように、筐体１０の排気口１４を介して筐体１０の外部へと排気される。
【００６０】
(2-3)プロジェクタ２の効果
上述した、第２実施形態のプロジェクタ２によれば、上記第１実施形態の上記(1-5-1)および(1-5-3)〜(1-5-7)の効果に加えて、以下の効果を奏することができる。
【００６１】
(2-3-1)軸流ファン４９を複数のフィン４５１と対向する位置に設けているので、軸流ファン４９より取り込んだ冷却空気を複数のフィン４５１に直接導入することができる。したがって、各ライトバルブ２３Ｒ，２３Ｇ，２３Ｂ等からの熱を複数のフィン４５１を介して高効率で冷却できる。また、フレーム４１Ａに軸流ファン４９を一体的に設けているので、軸流ファン４９のハウジング部４９１にも各ライトバルブ２３Ｒ，２３Ｇ，２３Ｂ等からの熱が伝達され、各ライトバルブ２３Ｒ，２３Ｇ，２３Ｂ等からの熱を複数のフィン４５１だけでなくハウジング部４９１でも冷却できる。そして、取付孔４９３を介してハウジング部４９１と筐体１０とを連結するので、プロジェクタ１の製造時には、クロスダイクロイックプリズム２４等と、フレーム４１と、軸流ファン４９との筐体１０への組み付けを同時に行うことができる。
【００６２】
（３）実施形態の変形
以上、本発明の一実施形態を開示したが、本発明はこれに限定されるものではない。すなわち、本発明は、本発明の技術的思想および目的の範囲から逸脱することなく、以上述べた実施形態に対し、形状、材質、数量、その他の詳細な構成において、当業者が様々な変形を加えることができるものである。
【００６３】
前記第１，２実施形態では、色合成光学装置として、３色（Ｒ色光、Ｇ色光、Ｂ色光）の光学像を合成するクロスダイクロイックプリズム２４を例示したが、２色あるいは４色以上の光学像を合成する色合成光学装置であってもよい。このような場合でも、前記第１，２実施形態と同様に、光変調装置を好適に冷却できかつ良好な画質が得られるプロジェクタを提供できる。
【００６４】
前記第１，２実施形態では、光源用冷却流路部４２と、ダクト４４と、冷却空気分岐部４８とで本発明の流路部を構成するとしたが、これに限らない。
例えば、本発明における流路部をダクト４４のみで構成し、ダクト４４の下流側端部を筐体の排気口まで延長する構造としてもよい。この場合、光源用冷却流路部４２や冷却空気取込部４７と、冷却空気分岐部４８がないので部品点数が少なくて済み、フレームの製造効率を向上できる。
また、例えば、本発明における流路部をダクト４４と、冷却空気分岐部４８とで構成し、ダクト４４内の全ての冷却空気を冷却空気分岐部４８を介して筐体の外部に排気する構成としてもよい。この場合、ダクト内の全ての冷却空気が冷却空気分岐部４８を通過するようになるので、光変調装置の冷却効率をより向上できる。
【００６５】
前記第１，２実施形態では、放熱部４５に複数のフィン４５１を設けるとしたが、これに限らず、本発明の放熱部には例えばペルチェ素子などの冷却手段を設けてもよい。例えば、ペルチェ素子を設ける場合、ペルチェ素子を取付面部４３に熱伝達可能に接続して流路内に露出させれば、前記第１，２実施形態と同様に、光変調装置を好適に冷却できかつ良好な画質が得られるプロジェクタを提供できる。
【００６６】
前記第１，２実施形態では、光源用冷却流路部４２を設けて、各ＬＥＤモジュール２１Ｒ，２１Ｇ，２１Ｂも合わせて冷却する構成としたが、これに限らない。
例えば、さらに電源ユニット等をも冷却可能なように流路部を形成してもよい。この場合、１つのシロッコファン４６あるいは軸流ファン４９による冷却気体の送風により、各ライトバルブ２３Ｒ，２３Ｇ，２３Ｂ、入射側偏光板２３１、射出側偏光板２４１、各ＬＥＤモジュール２１Ｒ，２１Ｇ，２１Ｂおよび電源ユニット等を効率良く冷却できる。結果として、装置の小型化および消費エネルギーの低減効果を図ることができる。
また、例えば、光源用冷却流路部４２を設けずに、各ＬＥＤモジュール２１Ｒ，２１Ｇ，２１Ｂは別の冷却手段にて冷却する構成としてもよい。この場合、各ＬＥＤモジュール２１Ｒ，２１Ｇ，２１Ｂと、ライトバルブ２３Ｒ，２３Ｇ，２３Ｂ、入射側偏光板２３１、射出側偏光板２４１とを別々に冷却できるようになるので、各光学部品をそれぞれの最適な条件で冷却できる。
【００６７】
前記第１，２実施形態では、光源用冷却流路部４２やダクト４４を略Ｕ字溝状に形成するとしたが、例えば、筒状など、冷却空気の流路を形成可能な形状であればいずれでもよい。また、光源用冷却流路部４２の内部にも複数のフィンを設けてもよく、この場合、各ＬＥＤモジュール２１Ｒ，２１Ｇ，２１Ｂの冷却効果をより向上できる。
【００６８】
前記第１，２実施形態では、冷却空気分岐部４８を軸直交断面形状が三角形の筒状に形成するとしたがこれに限らず、当該断面形状は、クロスダイクロイックプリズム２４における各入射端面の間の部位に当接可能な形状であればいずれでもよい。また、冷却空気分岐部４８の内部にも複数のフィンを設けてもよく、この場合、各ライトバルブ２３Ｒ，２３Ｇ，２３Ｂ等の冷却効果をより向上できる。
【図面の簡単な説明】
【００６９】
【図１】本発明の第１，２実施形態に係るプロジェクタの概略構成を模式的に示した平面図である。
【図２】前記第１実施形態に係るプロジェクタの概略構成を模式的に示した側断面図である。
【図３】前記第１実施形態における光学装置および冷却ユニットのそれぞれの要部を示すものであり、（Ａ）は一の方向からの斜視図であり、（Ｂ）は他の方向からの斜視図である。
【図４】前記第２実施形態に係るプロジェクタの概略構成を模式的に示した側断面図である。
【図５】前記第２実施形態における光学装置および冷却ユニットのそれぞれの要部を示すものであり、（Ａ）は一の方向からの斜視図であり、（Ｂ）は他の方向からの斜視図である。
【符号の説明】
【００７０】
１，２…プロジェクタ、１０…筐体、１２…吸気口、１３，１４…排気口、２３（２３Ｒ，２３Ｇ，２３Ｂ）…液晶ライトバルブ（光変調装置）、２３１…入射側偏光板、２４…クロスダイクロイックプリズム（色合成光学装置）、２４１…射出側偏光板、４１，４１Ａ…フレーム、４２…光源用冷却流路部（流路部）、４３…取付面部、４４…ダクト（流路部）、４５…放熱部、４５１…フィン、４６…シロッコファン、４８…冷却空気分岐部（流路部）、４９…軸流ファン、Ｒ１〜Ｒ３…流路
【図１】
2007248739.tif 000003
【図２】
2007248739.tif 000004
【図３】
2007248739.tif 000005
【図４】
2007248739.tif 000006
【図５】
2007248739.tif 000007